(57)【要約】  本発明は、プロファイルを介して、遠隔記憶装置（２６）に格納されたデータ、媒体ファイル、及び／又はコンテンツにアクセスできるようにする消費者向け電子機器（１２）のための方法、システム、及び機器に関する。遠隔記憶装置（２６）に配置され格納されるデータ、媒体ファイル、及び／又はコンテンツに関する情報を含むメニューは、消費者向け電子機器（１２）に提供され、このメニューは、消費者向け電子機器（１２）に提示することができるデータ、媒体ファイル、及び／又はコンテンツだけに関連する。少なくともメニュー項目のユーザの選択の受信に基づいて、消費者向け電子機器（１２）は、遠隔記憶装置（２６）から消費者向け電子機器（１２）に提示するためのデータ、媒体ファイル、及び／又はコンテンツを受信する。【選択図】      図１
2013542540.tif 000002
【特許請求の範囲】
【請求項１】
ネットワーク上で管理され遠隔記憶装置（２６）に関連付けされるプロファイルにログインするよう消費者向け電子機器（１２）を介してユーザに指を行う段階（４０）を含む方法であって、
前記プロファイルログイン情報は、媒体ファイルにアクセスするために前記消費者向け電子機器（１２）が前記遠隔記憶装置（２６）に格納された前記媒体ファイルに最初にアクセスしようとした場合にのみ要求され、その後は、前記媒体ファイルにアクセスするために前記ユーザに要求されないようになっており、
本方法は、更に、
前記遠隔記憶装置（２６）に格納された媒体ファイルへのアクセスを許可する段階（４４）と、
前記遠隔記憶装置（２６）に配置され格納された媒体ファイルのメニューを前記消費者向け電子機器（１２）に提供する段階（４６）と、
を含み、
前記メニューは、前記消費者向け電子機器（１２）に提示できる媒体ファイルだけを提示するようになっており、
本方法は、更に、
少なくとも媒体ファイルのユーザ選択の受信に基づいて、前記遠隔記憶装置（２６）から前記消費者向け電子機器（１２）に提示するための前記媒体ファイルを受信する段階（４８）を含む、方法。
【請求項２】
前記メニューに提供される媒体ファイルを決定する段階は、
前記消費者向け電子機器（１２）の特性を決定する段階（５２）と、
その後、前記消費者向け電子機器（１２）に提示できる前記遠隔記憶装置（２６）の媒体ファイルを決定する段階（５４）と、
を含む、請求項１に記載の方法。
【請求項３】
前記消費者向け電子機器（１２）の特性に基づいて、前記消費者向け電子機器（１２）に提示できるコンテンツのメニューを作成する段階（５６）を更に含む、請求項２に記載の方法。
【請求項４】
前記ネットワークは、インターネットである、請求項１に記載の方法。
【請求項５】
媒体ファイルの複数の選択が受信される、請求項１に記載の方法。
【請求項６】
複数の媒体ファイルは、前記消費者向け電子機器（１２）に同時に提示するために、前記媒体ファイルの複数選択に応じて、前記遠隔記憶装置（２６）から受信される、請求項５に記載の方法。
【請求項７】
前記消費者向け電子機器（１２）と前記プロファイルとの関連付けを解除する段階を更に含む、請求項１に記載の方法。
【請求項８】
プロセッサ（１４）を含み、インターネット経由で通信できる少なくとも１つの消費者向け電子機器（１２）と、
媒体コンテンツを格納することができ、前記少なくとも１つの消費者向け電子機器（１２）がアクセス可能な遠隔記憶装置（２６）と、
を含むコンテンツ管理システムであって、
前記プロセッサ（１４）は、ユーザログイン情報を受信することができ、
前記プロセッサ（１４）は、インターネット経由でユーザプロファイルにアクセスするために前記ログイン情報を使用し、前記プロファイルは、前記遠隔記憶装置（２６）に格納された媒体コンテンツに関連付けされており、
前記プロセッサ（１４）は、前記遠隔記憶装置（２６）に格納された媒体コンテンツのユーザ選択を受信するようプログラムされており、選択に応じて、前記消費者向け電子機器（１２）に前記媒体コンテンツを提示する、コンテンツ管理システム。
【発明の詳細な説明】
【技術分野】
【０００１】
本発明は、一般的に、複数の消費者向け電子機器でデータ及び媒体コンテンツを管理及び提示することに関する。
【背景技術】
【０００２】
従来、特定の形式のデータ及び媒体コンテンツは単一の種類の機器でしか提示できなかったが、最新の技術の進歩によって、データ及び媒体コンテンツを複数の電子機器で提示できるようになってきた。現在、例えば、テレビ番組は、テレビシステムで提示できるだけでなく、パーソナルコンピュータ、移動体タブレット機器、及び携帯型「スマートフォン」で提示することができる。前述の技術の進歩によって、ユーザは、複数の消費者向け電子機器で提示することを望むデータ及び媒体コンテンツを所有すること又は入手することができる。
【発明の概要】
【発明が解決しようとする課題】
【０００３】
しかしながら、現在、複数の機器でデータ及び媒体コンテンツにアクセスして提示する比較的簡単で安全な方法は存在しない。前述のように、本出願によって、ユーザは、複数の機器からこれらのデータ及びコンテンツに簡単かつ安全にアクセスすることができる。更に、本出願によって、効率的、経済的、及び環境に優しい方法で複数の機器からのアクセスが可能になる。
【課題を解決するための手段】
【０００４】
１つの方法は、インターネット等のネットワーク上で管理されるプロファイルにログインするために消費者向け電子機器を介してユーザに指示を行う段階を含むことができ、プロファイルは、遠隔記憶装置に関連付けされる。プロファイルログイン情報は、消費者向け電子機器が遠隔記憶装置に格納された媒体ファイルに最初にアクセスしようとした場合にのみ要求され、その後は、媒体ファイルにアクセスするためにユーザに要求されない。また、本方法は、遠隔記憶装置に格納された媒体ファイルへのアクセスを可能にする段階と、遠隔記憶装置に配置され格納された媒体ファイルのメニューを消費者向け電子機器に提供する段階とを含むことができる。メニューは、消費者向け電子機器に提示することができる媒体ファイルを提示することができる。
【０００５】
本方法は、少なくとも媒体ファイルのユーザの選択の受信に基づいて、消費者向け電子機器に提示するための遠隔記憶装置からの媒体ファイルを受信する段階を更に含むことができる。しかしながら、幾つかの例では、媒体ファイルの１つより多い選択を受信することができ、複数の選択された媒体ファイルは、消費者向け電子機器に同時に提示するために、遠隔記憶装置から受信できることを理解されたい。
【０００６】
また、本方法は、消費者向け電子機器の特性を決定することによってメニューに提供される媒体ファイルを決定する段階と、その後、消費者向け電子機器に提示できる遠隔記憶装置の媒体ファイル決定する段階とを含むことができる。消費者向け電子機器に提示できるコンテンツメニューは、消費者向け電子機器の少なくとも１つの特性に基づいて生成することができる。更に、本方法は、幾つかの例において、プロファイルと消費者向け電子機器との関連付けを解除する段階を含むことができる。
【０００７】
別の態様において、コンテンツ管理システムは、プロセッサを有する少なくとも１つの消費者向け電子機器を含むことができ、消費者向け電子機器は、インターネット経由で通信することができる。また、本システムは、媒体コンテンツを格納することができる遠隔記憶装置を含むことができ、遠隔記憶装置は、消費者向け電子機器がアクセス可能である。非限定的な実施形態において、プロセッサは、ユーザログイン情報を受信し、次にインターネット経由でユーザプロファイルにアクセスするためにログイン情報を使用することができ、プロファイルは、遠隔記憶装置に格納された媒体コンテンツに関連付けされる。プロセッサは、非限定的な実施形態において、遠隔記憶装置に格納された媒体コンテンツのユーザ選択を受信するようプログラムすることができるので、プロセッサは、選択に応じて消費者向け電子機器に媒体コンテンツを提示することができる。
【０００８】
別の態様において、機器は、プロセッサを有する消費者向け電子機器を含むことができ、消費者向け電子機器は、インターネット経由で通信することができる。更に、非限定的な実施形態において、消費者向け電子機器は、インターネット経由で遠隔記憶装置と通信することができる。更に、遠隔記憶装置は、媒体ファイルを格納することができ、媒体ファイルは、消費者向け電子機器がアクセス可能とすることができる。更に、プロセッサは、非限定的な実施形態において、遠隔記憶装置に格納された媒体ファイルの選択を受信することができ、選択に応じて消費者向け電子機器に媒体ファイルを提示することができる。
【０００９】
本発明の構成及び作動に関する詳細は、同じ参照数字が同じ部品を示す添付の図面を参照することで最良に理解できる。
【図面の簡単な説明】
【００１０】
【図１】本原理による、非限定的な例示的システムを示すブロック図である。
【図２】本原理による、データ及び／又は媒体ファイル及び／又はコンテンツを提示するための非限定的なロジックを示すフローチャートである。
【図３】本原理による、プロファイルに関連するどのデータ及び／又は媒体ファイル及び／又はコンテンツを消費者向け電子機器に提示することができるかを決定するための非限定的なロジックを示すフローチャートである。
【図４】本原理による、ユーザが受信できるログインプロンプトの非限定的な例示的画面ショットである。
【図５】本原理による、消費者向け電子機器に提示することができる媒体ファイル及び／又はコンテンツメニューの非限定的な例示的画面ショットである。
【図６】本原理による、消費者向け電子機器に提示することができるデータメニューの非限定的な例示的画面ショットである。
【図７】本原理による、消費者向け電子機器に提示することができるデータ及び媒体ファイル及び／又はコンテンツメニューの非限定的な例示的画面ショットである。
【図８】本原理による、消費者向け電子機器に提示することができる他のメニューへのリンクメニューの非限定的な例示的画面ショットである。
【発明を実施するための形態】
【００１１】
最初に図１を参照すると、全体的に１０で示される非限定的な例示的システムが示されている。システム１０は、消費者向け電子機器１２を含み、該消費者向け電子機器１２は以下に説明するロジック等のロジックを実行することができるプロセッサ１４を有する。また、消費者向け電子機器１２は、限定されるものではないが、ＲＡＭベースの記憶装置（例えば、動的ランダムアクセスメモリ（ＤＲＡＭ）を実装するチップ）又はフラッシュメモリ又はディスクベースの記憶装置等の、１つ又はそれ以上の非一時的コンピュータ可読データ記憶媒体１６を含む。更に、本原理に従って、消費者向け電子機器１２によって実行可能な以下に説明するロジック等のロジックは、媒体１６に格納することができる。
【００１２】
また、図１に示すように、消費者向け電子機器１２は、ディスプレイ１８及びスピーカ２０等の１つ又はそれ以上の出力装置、ユーザに対して音声及び視覚コンテンツ等のデータ及び／又はコンテンツを提示することができる出力装置を有することができる。また、消費者向け電子機器１２は、キーパッド２２等のユーザ入力を受け取ることができる１つ又はそれ以上の入力装置を有することができる。しかしながら、パーソナルコンピュータ「マウス」又は携帯電話のタッチ画面等の他の入力装置を消費者向け電子機器１２に提示できることを理解されたい。
【００１３】
更に、消費者向け電子機器１２は、プロセッサ１４と通信してインターネット等の広域ネットワークへ接続することができる、有線又は無線モデム又は無線電話送受信機等のネットワークインタフェース２４を含むことができる。消費者向け電子機器１２は、バッテリ又はＡＣ／ＤＣ電源等の消費者向け電子機器１２に電圧を供給するための電源（図示せず）を含み得ることを理解されたい。
【００１４】
更に図１を参照すると、遠隔記憶装置２６が示されている。遠隔記憶装置２６は、限定されるものではないが、ＲＡＭベース記憶装置（例えば、動的ランダムアクセスメモリ（ＤＲＡＭ）を実装するチップ）又はフラッシュメモリ又はディスクベースの記憶装置等の少なくとも１つの非一時的コンピュータ可読データ記憶媒体２８を有する。記憶媒体２８は、少なくとも１人のユーザに関するプロファイル情報を格納することができ、プロファイル情報は、データ及び／又は媒体ファイル及び／又はコンテンツにアクセスするために要求される場合があるログイン情報及び／又はクレデンシャルを含むことができる。データ及び／又は媒体ファイル及び／又はコンテンツは、記憶媒体２８に格納することができ、少なくとも１つのプロファイルに関連付けできることを理解されたい。
【００１５】
更に、本明細書で使用する場合、用語「データ」、「媒体コンテンツ」、「媒体ファイル」、及び「コンテンツ」は、複数の電子データの種類及び形式を呼ぶことができる非限定的な用語であることを理解されたい。これらの電子データ種類及び形式は、限定されるものではないが、テキストデータ、ＭＰ３、及び他の音声フォーマット、電子ゲーム、ピクチャフォーマット、及びビデオフォーマットを含む。
【００１６】
また、遠隔記憶装置２６は、本原理に従って、消費者向け電子機器１２から受信された要求及び／又はコマンドを処理することができるプロセッサ３０を更に含むことができる。また、遠隔記憶装置２６は、プロセッサ３０と通信してインターネット等の広域ネットワークに接続できる有線又は無線モデム又は無線電話送受信機等のネットワークインタフェース３２を含むことができる。従って、消費者向け電子機器１２は、消費者向け電子機器１２と遠隔記憶装置２６との間のネットワーク通信を示す図１の両方向矢印３４で示すように、インターネット経由で遠隔記憶装置２６と通信することができる。
【００１７】
図２を参照すると、本原理によるデータ及び／又は媒体ファイル及び／又はコンテンツを提示するための非限定的なロジックのフローチャートが示されている。ブロック３６から始まり、機能及び構成において前述の消費者向け電子機器１２と実質的に同じ消費者向け電子機器は、遠隔記憶装置のデータ及び／又は媒体ファイル及び／又はコンテンツへのアクセスを試み、遠隔記憶装置は、機能及び構成において前述の記憶装置２６と実質的に同じである。消費者向け電子機器がアクセスを試みる特定のデータ及び／又は媒体ファイル及び／又はコンテンツは、特定のユーザプロファイルに関連付けることができ、このプロファイルは、機能的及び／又は物理的に異なる複数の消費者向け電子機器からアクセスできることを理解されたい。
【００１８】
ブロック３６において、消費者向け電子機器が遠隔記憶装置の媒体ファイルへのアクセスを試みた後、ロジックは判断ブロック３８に進む。判断ブロック３８において、ロジックは、遠隔記憶装置のデータ及び／又は媒体ファイル及び／又はコンテンツへのアクセスを試みた消費者向け電子機器が、特定のユーザプロファイルに以前にログインした及び／又は以前に関連付けされたか否かを判定する。ロジックが、消費者向け電子機器がデータ及び／又は媒体ファイル及び／又はコンテンツに関連付けされた特定のユーザプロファイルに対して以前にログインしていない及び／又は以前に関連付けされていないと判定した場合、ロジックはブロック４０に進む。ブロック４０において、ロジックは、プロファイルにログインするよう消費者向け電子機器のユーザに指示し、この指示は、特定のログイン情報、クレデンシャル、及び／又はプロファイルに関連付けされるプロファイル情報を要求する場合がある。ブロック４２において、ロジックは、上記に参照したユーザログイン情報、クレデンシャル、及び／又はプロファイル情報を受信し、ログインする及び／又はそうでなければ消費者向け電子機器をプロファイルに関連付ける。次にロジックはブロック４４に進む。
【００１９】
しかしながら、ブロック４４の処理を説明する前に、判断ブロック３８を再度参照されたい。ロジックが、消費者向け電子機器がデータ及び／又は媒体プロファイル及び／又はコンテンツに関連付けされた特定のユーザプロファイルに以前にログインした及び／又は以前に関連付けされたと判定した場合、ロジックは、ブロック４０ではなくブロック４４へ直接進む。ロジックが判断ブロック３８から直接ブロック４４へ進むか又は最初にブロック４０及び４２を通るかに関わらず、ロジックによって、次に、消費者向け電子機器は、ブロック４４において遠隔記憶装置に格納されたデータ及び／又は媒体ファイル及び／又はコンテンツにアクセスすることができる。
【００２０】
ブロック４４において、消費者向け電子機器が格納されたデータ及び／又は媒体ファイル及び／又はコンテンツにアクセスすることを可能にした後、ロジックはブロック４６に進み、消費者向け電子機器に提示することができるデータ及び／又は媒体ファイル及び／又はコンテンツのメニューが消費者向け電子機器に提示される。次にロジックはブロック４８に進むことができ、消費者向け電子機器は、このメニューで提供されたデータ及び／又は特定の媒体ファイル及び／又は特定のコンテンツの特定の要素のユーザ選択を受信する。しかしながら、幾つかの機器では、本原理に従って、データ、媒体ファイル、及び／又はコンテンツの複数の要素を同時に提示できること、及びユーザがメニューから、データ、媒体ファイル、及び／又はコンテンツの複数の要素を選択して消費者向け電子機器に同時に提示できることを理解されたい。最後のブロック５０において、ロジックは、次に、選択されたデータ及び／又は媒体ファイル及び／又はコンテンツを消費者向け電子機器に提示する。
【００２１】
更に、本原理に従って、消費者向け電子機器は、特定のユーザプロファイルに前もってログインしていること及び／又は特定のユーザプロファイルに前もって関連付けされることができるが、非限定的な実施形態では、消費者向け電子機器に前もって関連付けされた特定のプロファイルは、そのプロファイルから「ログアウト」できるか、又はそうでなければそのプロファイルとの関連付けを解除できることを理解されたい。その後、別のユーザプロファイルは、本原理に従って消費者向け電子機器に関連付けることができる。
【００２２】
図３を参照すると、本原理に従って消費者向け電子機器に提示することができるプロファイルに関連付けされるデータ及び／又は媒体ファイル及び／又はコンテンツを決めるための非限定的なロジックのフローチャートが示されている。ブロック５２から始まり、ロジックは、プロファイルを介して遠隔記憶装置のデータ及び／又は媒体ファイル及び／又はコンテンツにアクセスする消費者向け電子機器の種類及び／又は特性を判定し、遠隔記憶装置は、機能及び構成において前述の遠隔記憶装置２６と実質的に同じである。更にブロック５２を参照すると、ロジックは、例えば、消費者向け電子機器が、一般にビデオコンテンツは提示できるが、「ワイドスクリーン」形式ではコンテンツを提示できない携帯型「スマートフォン」であることを判別できる。別の実施例として、ロジックは、消費者向け電子機器が、高精細機能を有するテレビジョンであることを判別できる。
【００２３】
更に図３を参照すると、ロジックはブロック５２からブロック５４に進む。ブロック５４において、ロジックは、アクセスされるプロファイルに関連付けされたどのデータ及び／又は媒体ファイル及び／又はコンテンツを消費者向け電子機器に提示することができるかを決定できる。最後のブロック５６において、ロジックは、メニューを作成できるか又はそうでなければ消費者向け電子機器に提示することができる利用可能なデータ及び／又は媒体ファイル及び／又はコンテンツを提示することができる。
【００２４】
非限定的な実施形態において、本技術分野では「自動蓄積（ａｕｔｏ−ｐｏｐｕｌａｔｉｏｎ）」と呼ばれる技術によってメニューを作成又は提示することができ、提示できるデータ及び／又は媒体ファイル及び／又はコンテンツは、消費者向け電子機器に自動的にアップロードされる及び／又はメニュー形式で消費者向け電子機器に整理される。従って、本明細書で理解されるように本原理による「自動蓄積」は、消費者向け電子機器に格納するためのデータ及び／又は媒体ファイル及び／又はコンテンツを伝送する段階と、任意の数の特性（例えば、デジタル音楽及びデジタル写真である媒体コンテンツの種類等）に基づいて利用可能なデータ及び／又は媒体ファイル及び／又はコンテンツを電子フォルダに分割及び／又は整理する段階の一方又は両方を含むことができる。
【００２５】
図４を参照すると、本原理に従ってユーザに提示することができるログインプロンプトの非限定的な例示的画面ショット、例えば、前述の図２のブロック４０が示されている。図４から、消費者向け電子機器のユーザは、特定のプロファイルに関連付けされたログイン情報に対する指示を受信できることが分かり、プロファイルは、ユーザが消費者向け電子機器でアクセスを望む遠隔記憶装置の関連付けされたデータ及び／又は媒体ファイル及び／又はコンテンツである。
【００２６】
従って、図４の画面ショットは、全体的に５８で示されるプロンプトを含む。図４から分かるように、プロンプト５８は、ユーザ「ログイン」を要求するような、特定の動作を行うようユーザに命令するテキスト命令６０を含むことができる。また、プロンプト５８は、特定のプロファイルに関連付けされるユーザ名及びパスワード等の、必須の及び／又は要求される情報をユーザが入力するための１つ又はそれ以上の入力領域６２を含むことができる。この情報は、ユーザがプロンプト５８を受け取る特定の消費者向け電子機器に関連する、前述のキーパッド２２等の任意の数の利用可能な非限定的な入力装置を使用してユーザが入力できる。更に、図４は、非限定的な入力装置によってユーザが選択する非限定的なボタン又は「入力」キー６４を含むことができ、ユーザは、必須の及び／又は要求される情報を領域６２に入力した時点でキー６４を選択してログインする。
【００２７】
図５に移動して、例えば前述の図２のブロック４６での本原理による、消費者向け電子機器に提示することができるデータ及び／又は媒体ファイル及び／又はコンテンツのメニューの非限定的な例示的画面ショットが示されている。従って、表示６６が、消費者向け電子機器に提示するために選択できる複数のビデオ６８及びデジタル写真７０を含み得ることが、図５に示された媒体ファイル及び／又はコンテンツの非限定的な表示６６から分かる。
【００２８】
ここで図６に関して、例えば、前述の図２のブロック４６での本原理による、消費者向け電子機器に提示することができるテキストデータ等のデータのメニューの非限定的な例示的画面ショットが示されている。従って、表示７２が、複数の個人連絡先及び／又は連絡先情報７４を含み得ることが、図６のデータの非限定的な表示７２から分かる。非限定的な実施形態において、連絡先は、消費者向け電子機器ユーザの友達を含むことができる。また、非限定的な実施形態において、連絡先情報は、例えば、連絡先の電話番号及び自宅住所に関する情報を含むことができる。
【００２９】
また、非限定的な実施形態において、図６の表示７２はフィードバック情報７６を含むことができる。フィードバック情報７６は、データ及び／又は媒体ファイル及び／又はコンテンツの記述を含む、任意数の事柄に関連する情報及び／又はこれを記述する情報を含むことができる。例えば、フィードバック情報７６は、特定のビデオに関するユーザの見解又は印象、又は連絡先及び／又は連絡先情報７４の下で提供された連絡先をユーザがどのように見なすかに関する情報を含むことができる。
【００３０】
更に別の非限定的な実施形態として、本原理に従って、選択できる媒体ファイル及び／又はコンテンツと、データを結合するメニューを提示することができる。従って、図７は、消費者向け電子機器に提示することができるデータ及び／又は媒体ファイル及び／又はコンテンツの非限定的な例示的画面ショットを示している。従って、表示７８が、複数のビデオ８０、デジタル写真８２、個人連絡先及び／又は連絡先情報８４、及び／又はフィードバック情報８６を含み得ることが、図７のデータ及び／又は媒体ファイル及び／又はコンテンツの非限定的な表示７８から分かる。非限定的な実施形態において、ビデオ８０、デジタル写真８２、個人連絡先及び／又は連絡先情報８４、及び／又はフィードバック情報８６は、前述のビデオ６８、デジタル写真７０、個人連絡先及び／又は連絡先情報７４、及びフィードバック情報７６と実質的に類似したものにできることを理解されたい。
【００３１】
更に、他の非限定的な実施形態において、データ及び／又は媒体ファイル及び／又はコンテンツに関する他のメニューへのリンクメニューを消費者向け電子機器に提示することができる。従って、図８は、消費者向け電子機器に提示することができる他のメニューへのリンクメニューの例示的画面ショットであり、リンクは、本原理に従ってデータ及び／又は媒体ファイル及び／又はコンテンツの種類に関連付けされる。従って、図８は、リンクの非限定的な表示８８を示しており、表示８８は、ビデオメニューへのリンク９０、デジタル写真メニューへのリンク９２、連絡先情報メニューへのリンク９４、及び／又はフィードバック情報メニューへのリンク９６を含むことができる。
【００３２】
更に、図８に示されたリンクの１つ等のリンク選択に応じて、その後、メニューを有する第２の表示を消費者向け電子機器のユーザに提示することができ、この表示は、ユーザによる選択に利用できるデータ及び／又は媒体ファイル及び／又はコンテンツの任意の組み合わせメニューを含むこともできる。例えば、非限定的な実施形態において、第２の表示は、前記の図５−７で説明された画面ショットと実質的に類似のものとすることができる。
【００３３】
本明細書では特定の「複数の機器で媒体コンテンツを配信及び管理するためのシステム及び方法」を詳細に説明したが、本発明によって包含される主題は、請求項によってのみ限定されることを理解されたい。
【図１】
2013542540.tif 000003
【図２】
2013542540.tif 000004
【図３】
2013542540.tif 000005
【図４】
2013542540.tif 000006
【図５】
2013542540.tif 000007
【図６】
2013542540.tif 000008
【図７】
2013542540.tif 000009
【図８】
2013542540.tif 000010
【国際調査報告】
2013542540.tif 000011